(57)【要約】【課題】装着時のフィット感を高めることができる手袋を提供する。【解決手段】手袋１は、運動時に装着可能な手袋であって、装着した際に装着した際に装着者の手の甲側を覆う手甲部１００と、装着した際に装着者の掌側を覆う手掌部２００とを備えており、手甲部１００の表面に密着形成された樹脂パターン１０とを備える。この樹脂パターン１０は、網目状に形成されており、手甲部１００の領域に応じて異なる装着時の変形の量に応じて、密度を調整することが好ましい。【選択図】図１
2010168699.tif 000002
【特許請求の範囲】
【請求項１】
運動用に装着可能な手袋であって、
装着した際に装着者の手の甲側を覆う手甲部と、
装着した際に装着者の掌側を覆う手掌部とを備えており、
前記手甲部の表面に密着形成された樹脂パターンを備える手袋。
【請求項２】
前記手甲部は伸縮性部材により形成された、請求項１に記載の手袋。
【請求項３】
前記手甲部の表面に、互いに交差する複数の前記樹脂パターンを形成した、請求項１または２に記載の手袋。
【請求項４】
前記樹脂パターンを網目状に形成した、請求項１〜３のいずれか１項に記載の手袋。
【請求項５】
前記手甲部は、装着者の指を覆う手甲側指部を含み、
前記手掌部は、装着者の指を覆う手掌側指部を含み、
前記手甲側指部の表面上に前記樹脂パターンを形成した、請求項１〜４のいずれか１項に記載の手袋。
【請求項６】
前記手甲側指部の付根部近傍の一部の領域、および前記手甲側指部の長手方向の中央部分の一部の領域における前記樹脂パターンの厚みを、他の領域における前記樹脂パターンの厚みよりも大きくした、請求項１〜５のいずれか１項に記載の手袋。
【請求項７】
前記手甲部は、装着者の手首側に位置する手首側部分を含み、
前記手首側部分の中央部分における前記樹脂パターンの密度が、前記手首側部分における前記中央部分の周囲部分における前記樹脂パターンの密度よりも高い、請求項１〜６のいずれか１項に記載の手袋。
【請求項８】
前記手首側部分上の前記樹脂パターンの密度が、前記手甲側指部上の前記樹脂パターンの密度よりも高い、請求項５〜７のいずれか１項に記載の手袋。
【請求項９】
前記手甲側指部は、装着者の指の関節を覆う関節領域と、前記関節領域に隣接する隣接領域とを含み、
前記隣接領域における前記樹脂パターンの密度が、前記関節領域における前記樹脂パターンの密度よりも高い、請求項５〜８のいずれか１項に記載の手袋。
【請求項１０】
前記手甲側指部の幅方向の中央部における前記樹脂パターンの密度が、前記手甲側指部の幅方向の側端部における前記樹脂パターンの密度よりも高い、請求項５〜９のいずれか１項に記載の手袋。
【請求項１１】
前記手甲側指部の長手方向に交差する方向に延びる前記樹脂パターンの密度が、前記長手方向に延びる前記樹脂パターンの密度よりも高い、請求項５〜１０のいずれか１項に記載の手袋。
【請求項１２】
前記手甲部における前記指部の端部と、前記手掌部における前記指部の端部とを直接接続した、請求項１〜１１のいずれか１項に記載の手袋。
【発明の詳細な説明】
【技術分野】
【０００１】
本発明は、運動時に装着可能であり、装着時のフィット感を高めることができる手袋に関する。
【背景技術】
【０００２】
野球などの運動を行なう際に、バットなどの対象物を把持する際、把持した対象物が、手袋のうち装着者の掌側を覆う手掌部との間に滑りを発生することを抑制するため、従来より防滑性の良好な手袋が装着される。防滑性の良好な手袋を装着した上で対象物を把持すれば、対象物と手掌部との間で滑りを発生することが抑制されるため、十分な握力で対象物を把持することができる。
【０００３】
上記のような手袋の一例が、たとえば特開２００７−２３１４３０号公報（特許文献１）に記載されている。この文献に記載の手袋は、手掌部や親指内面部の部分的な領域のみにたとえばシリコン樹脂で形成された滑り止めプリントを施している。この文献に記載の手袋は、手掌部や親指内面部の全面にシリコン樹脂を形成しない。シリコン樹脂を形成しない領域はシリコン樹脂を形成した領域よりもスムーズに曲げなどの動作を行なうことができる。このため、たとえば装着時に手を握ったりすることにより手袋を曲げる動作をスムーズに行なうことができる。
【０００４】
また、たとえば特表２００２−５０８４５５号公報（特許文献２）に記載されている手袋においては、ポリウレタン含浸人造皮革からなる手掌部に二液型シリコン弾性シーラントが微細な形状の模様で印刷されている。熱処理前に人造皮革の繊維に二液型シリコン弾性シーラントを浸潤した上で、熱処理を施すことにより平滑面が形成されたポリウレタン含浸人造皮革からなる手袋は、当該模様が印刷されていない手袋に比べて把持力が改良されている。また、当該手袋は、使用する環境の湿度条件が変化しても把持力を損なうことなく、良好な感触を保つことができる。
【０００５】
さらに、たとえばＷＯ９９／５５４３３号公報（特許文献３）においては、伸縮性の生地を、防滑性の良好な防滑薄片を用いて縫着することにより、伸縮性や防滑性に優れた手袋が記載されている。
【先行技術文献】
【特許文献】
【０００６】
【特許文献１】特開２００７−２３１４３０号公報
【特許文献２】特表２００２−５０８４５５号公報
【特許文献３】ＷＯ９９／５５４３３号公報
【発明の概要】
【発明が解決しようとする課題】
【０００７】
しかし、特許文献１、２のいずれに開示されている手袋においても、装着した際に装着者が快適な着用感として認識するフィット感を向上させる手段や効果については開示されていない。また、特許文献３には、手袋を形成する生地として伸縮性に優れた生地を用いることにより、装着者の手の大きさに関係なく快適なフィット感を得ることが可能となる旨が記載されているが、一般的に伸縮性部材だけでは、全方向に伸縮することになり、実際の手のサイズより小さく手袋を作成し無理にフィットさせることになる。このため、当該手袋のうち、手の動きが大きい場所を宛がう領域においては伸縮性が乏しくなり、手袋を自在に伸縮させて手の大きな動きに追随することが困難となる。
【０００８】
しかしながら、手の動きの大きい領域においても手袋を自在に伸縮させるために手袋のサイズを大きくすれば、当該手袋のうち、手の動きが小さい場所を宛がう領域においては手の大きさに比べて手袋のサイズが大きくなる。このため、当該手袋は装着者の手に対して適度なフィット感を与えることができない。したがって、手の動きを考慮しつつ装着者のフィット感を向上するためには、手の動きが大きい方向における伸縮性を向上させ、手の動きが小さい方向において締め付け力を向上させることが重要である。
【０００９】
本発明は、以上の問題に鑑みなされたものであり、その目的は、装着時における手の動きを容易に行なうことができ、かつ装着時のフィット感をさらに高めることができる手袋を提供することである。
【課題を解決するための手段】
【００１０】
本発明に係る手袋は、運動用に装着可能な手袋であって、装着した際に装着者の手の甲側を覆う手甲部と、装着した際に装着者の掌側を覆う手掌部とを備えており、手甲部の表面に密着形成された樹脂パターンを備える手袋である。上記手袋の手甲部は、伸縮性部材により形成されることが好ましい。
【００１１】
上記手袋は、手甲部の表面に、互いに交差する複数の樹脂パターンを形成した構成であることが好ましい。また、上記手袋は、樹脂パターンを網目状に形成した構成であることが好ましい。
【００１２】
上記手袋の手甲部は、装着者の指を覆う手甲側指部を含み、手掌部は、装着者の指を覆う手掌側指部を含んでいる、手甲側指部の表面上に上記樹脂パターンを形成した構成であることが好ましい。
【００１３】
上記手袋は、手甲側指部の付根部近傍の一部の領域、および手甲側指部の長手方向の中央部分の一部の領域における樹脂パターンの厚みを、他の領域における樹脂パターンの厚みよりも大きくした構成であることが好ましい。
【００１４】
上記手袋の手甲部は、装着者の手首側に位置する手首側部分を含み、手首側部分の中央部分における樹脂パターンの密度が、手首側部分における上記中央部分の周囲部分における前記樹脂パターンの密度よりも高いことが好ましい。
【００１５】
上記手袋は、手首側部分上の樹脂パターンの密度が、手甲側指部上の前記樹脂パターンの密度よりも高いことが好ましい。
【００１６】
上記手袋の手甲側指部は、装着者の指の関節を覆う関節領域と、関節領域に隣接する隣接領域とを含み、隣接領域における樹脂パターンの密度が、関節領域における樹脂パターンの密度よりも高いことが好ましい。
【００１７】
上記手袋は、手甲側指部の幅方向の中央部における樹脂パターンの密度が、手甲側指部の幅方向の側端部における樹脂パターンの密度よりも高いことが好ましい。
【００１８】
上記手袋は、手甲側指部の長手方向に交差する方向に延びる樹脂パターンの密度が、長手方向に延びる樹脂パターンの密度よりも高いことが好ましい。
【００１９】
さらに上記手袋は、手甲部における上記指部の端部と、手掌部における上記指部の端部とを直接接続した構成であることが好ましい。
【発明の効果】
【００２０】
本発明に係る手袋は、装着した際に装着者の手の甲側を覆う手甲部に樹脂パターンを備えている。このようにすれば、樹脂パターンの弾性力により装着者の手に対して締め付け力を与える。ここで、手甲部の領域に応じて、装着時の伸縮の量や方向が異なることを考慮し、手甲部の各領域の樹脂パターンの密度や方向を調整することにより、伸縮性による手の動きの柔軟性と、装着者に与えるフィット感との両方を向上することができる。
【図面の簡単な説明】
【００２１】
【図１】本発明の実施の形態１に係る手袋１の手甲部の概略図である。
【図２】図１中の領域１１の拡大図である。
【図３】本発明の実施の形態１に係る手袋１の手掌部の概略図である。
【図４】図３中の領域１６の拡大図である。
【図５】本発明の実施の形態２に係る手袋２の手甲部の概略図である。
【図６】本発明の実施の形態３に係る手袋３の手甲部の概略図である。
【図７】本発明の実施の形態３に係る手袋４の手甲部の概略図である。
【図８】樹脂パターン１０ａ（１０ｂ）の構造例を示す断面図である。
【図９】本発明の実施の形態に係る手袋１の製造方法を示すフローチャートである。
【図１０】手甲部１００の親指部１５と他の部分とを別々に準備した伸縮性部材の態様を示す概略図である。
【図１１】本発明による実施品である手袋５の手甲部の概略図である。
【発明を実施するための形態】
【００２２】
以下、図面を参照しながら、本発明の実施の形態について説明する。なお、各実施の形態において、同一の機能を果たす要素には同一の参照符号を付し、その説明は、特に必要がなければ繰り返さない。
【００２３】
（実施の形態１）
本実施の形態１の手袋１は、たとえば野球などの運動を行なう際に、把持したバットなどの対象物が、手袋のうち装着者の掌側を覆う手掌部との間に滑りを発生することを抑制するために装着される手袋である。
【００２４】
手袋１は、装着した際に装着者の手の甲側を覆う手甲部１００（図１参照）と、装着した際に装着者の掌側を覆う手掌部２００（図３参照）とを備えており、手甲部１００の表面に密着形成された樹脂パターン１０を備えている。
【００２５】
また、図１に示す手甲部１００と図３に示す手掌部２００とには、装着者の指を覆う指部を含んでいる。ここで指部とは具体的には、親指部１５、人差指部２５、中指部３５、薬指部４５、および小指部５５を指す。また、手甲部１００の指部を手甲側指部、手掌部２００の指部を手掌側指部と呼ぶことにする。
【００２６】
ここで指部のうち人差指部２５は、装着した際に人差指の先端部分を覆う人差指先端部２２と、人差指部２５の長手方向の中央部分である人差指中央部２４と、人差指部２５の付根部である人差指付根部２６との各領域に分類することができる。以下同様に、中指部３５は、装着した際に中指の先端部分を覆う中指先端部３２と、中指部３５の長手方向の中央部分である中指中央部３４と、中指部３５の付根部である中指付根部３６との各領域に分類することができる。また薬指部４５は、装着した際に薬指の先端部分を覆う薬指先端部４２と、薬指部４５の長手方向の中央部分である薬指中央部４４と、薬指部４５の付根部である薬指付根部４６との各領域に分類することができる。小指部５５は、装着した際に小指の先端部分を覆う小指先端部５２と、小指部５５の長手方向の中央部分である小指中央部５４と、小指部５５の付根部である小指付根部５６との各領域に分類することができる。
【００２７】
以上に述べた形状を備える手袋１の手甲部１００は、装着時に手や指の動作を自由に行なえるようにするために、主として伸縮性に優れた伸縮性部材２０で構成することが好ましい。一種類の伸縮性部材で手甲部１００および手掌部２００を構成してもよいが、複数の種類の伸縮性部材を組合せて手甲部１００および手掌部２００を構成してもよい。また、伸縮性部材をベースとする一方で、一部に非伸縮性部材を使用することもできる。
【００２８】
特に手甲部１００の伸縮性部材２０はツーウェイ方向に伸縮する編み物を用いることが好ましい。このようにすれば、たとえば編み物を形成する部材の延伸する一の方向と、当該一の方向に交差する他の方向とにおける手甲部１００の伸縮を大きくすることができる。当該伸縮性部材２０の５ｃｍ×５ｃｍ分の領域に４．９Ｎ（５００ｇｆ）の荷重を加えた時の伸長率は、上記一の方向および他の方向ともに５％以上１５０％以下の範囲であることが好ましい。ここで伸長率とは、伸縮を行なった後の寸法の、伸縮を行なう前の寸法に対する割合をいう。また、手甲部１００の伸縮性部材２０は、たとえばポリウレタン繊維、ポリアミド繊維、ポリエステル繊維などから選ばれる繊維を組み合わせた編地もしくは織物であってもよい。
【００２９】
また、手掌部２００についても伸縮性部材２０を用いてもよいが、装着時に対象物の把持力を向上するため、滑りを防止した革製や樹脂製の部材を用いてもよい。
【００３０】
手袋１は、図１に示すように、手甲部１００のうち、指部および手首側部分６０の表面上に、樹脂パターン１０を形成している。ここで手首側部分６０とは、手甲部１００のうち指部を除いた、装着者の手首側に位置する部分を指す。
【００３１】
樹脂パターン１０ａ、１０ｂは、たとえばウレタン樹脂のような弾性部材で構成することができる。また、ラバー、シリコン樹脂、ＰＶＣ（ポリ塩化ビニル）、ポリアミドエラストマー、ポリエステルエラストマー、ゴム系エラストマー、オレフィン系エラストマー、ポリエチレン、ポリプロピレン、ナイロン、ＥＶＡ（エチレン・酢酸ビニル共重合体）、ＡＢＳ（アクリロニトリル−ブタジエン−スチレン共重合体）等の樹脂材料も樹脂パターン１０ａ、１０ｂの材料として使用することができる。
【００３２】
樹脂パターン１０は図２の拡大図に示すように、互いに交差する樹脂パターン１０ａおよび樹脂パターン１０ｂが複数本集合することにより、網目状をなすように形成されていることが好ましい。
【００３３】
手甲部１００の表面に樹脂パターン１０が備えられていれば、個々の樹脂パターン１０ａ、１０ｂが延伸する方向に対して、樹脂パターン１０ａ、１０ｂが変形することにより、手甲部１００に引っ張り力を与えることができる。樹脂パターン１０ａ、１０ｂを構成する樹脂材料は弾性力を有するため、伸縮した樹脂が元に戻ろうとする力が生じて装着者の手に締め付け力を与えることにより、装着者の手に快適な装着感としてのフィット感を与えることができる。
【００３４】
さらに、手袋１においては、樹脂パターン１０を網目状に形成している。このようにすれば、樹脂パターン１０に囲まれた樹脂パターン１０の存在しない領域はたとえば矩形状をなすため、当該領域が良好に伸縮する。手袋１の装着時に装着者の手の各領域が動く量や方向が異なるため、手甲部１００の領域に応じて、装着時の伸縮の量や方向が異なる。このため、手甲部１００の領域に応じて、樹脂パターン１０を形成する密度、すなわち樹脂を形成する量を変化することが好ましい。また、樹脂パターン１０ａ、１０ｂが延伸する方向についても、手甲部１００の領域に応じて当該密度が変化することが好ましい。
【００３５】
本実施の形態１に係る手袋１は、伸縮性部材２０からなる手甲部１００に形成した樹脂パターン１０の密度や延びる方向を領域ごとに調整している。たとえば図１に示すように、手首側部分６０においては、対象物を把持した際に手首側部分６０の形状が手の形状の変化に自由に追随して変形することが好ましい。対象物を把持する等の行為を行なった際には、手の甲部の中でも特に親指、人差指側の動きの量が大きく、親指、人差指側における縦方向（図１の上下方向、すなわち手甲側指部の長手方向に沿った方向）の動きの量が特に大きくなる。そして小指側の動き（小指側における縦方向の動き）の量がそれに次いで大きい。これに対して手首側部分６０の中央部分の動きの量は比較的小さくなる。同一領域であっても、縦方向の動きの量は、横方向（図１の左右方向）の動きの量よりも大きくなる。
【００３６】
したがって、手首側部分６０の樹脂パターン１０については、特に装着時の変形の量が少ない中央部分における密度を、装着時の変形の量が多い中央部分の周囲部分である親指部１５側、人差指部２５側（図１の右側）および小指部５５側（図１の左側）の各領域における密度よりも高くすることが好ましい。
【００３７】
樹脂パターン１０ａを形成する弾性部材よりも、手甲部１００を形成する伸縮性部材２０の方が伸縮性に富み、変形が容易である。このため、たとえば手首側部分６０の中央部分の変形の量が少ない領域においては樹脂パターン１０ａの密度を高く設けており、樹脂パターン１０を形成する弾性部材の弾性力により、手甲部１００が装着者の手に対して大きな締め付け力を与える。この締め付け力と、変形量が少ないこととにより、装着者が対象物を把持した際に、手と手袋１との一体感を高めることができる。したがって、手首側部分６０の中央部分においては、手の動きに応じて、装着者の手に対するフィット感を向上させることができる。
【００３８】
上述した変形量の少ない領域において樹脂パターン１０ａの密度を高くしたため、変形量の多い領域（手首側部分６０の中央部分の周囲部分）においては樹脂パターン１０ａの密度を低くしても、装着者の手全体が手袋１に対して感じるフィット感を維持することができる。変形の量が多い領域においては樹脂パターン１０ａの密度を低くすることにより、手甲部１００を形成する伸縮性部材２０の伸縮性により容易に変形することができる。このため、装着者は手を自由に柔軟に動かすことができる。
【００３９】
以上のように、手袋１は、装着者に高いフィット感と高い柔軟性の両方を与えることができるため、装着者に対して快適な装着感を与えることができる。
【００４０】
さらに、上述のように樹脂パターン１０ａの密度が低い領域において伸縮性を向上させることにより、装着者ごとに手の大きさや形状が異なることによる手首側部分６０の伸縮を容易に行なうことができる。したがって、装着者の手の大きさや形状にかかわらず、多くの装着者に対して快適な装着感を与えることができる。
【００４１】
以上より、たとえば手袋１においては、ほぼ手首側部分６０の中央付近の領域を中心として同心円状に複数本の樹脂パターン１０ａを配置している。隣接する樹脂パターン１０ａの間隔が、手首側部分６０の中央付近に近い領域において狭く、そして親指部１５側や小指部５５側の各領域において広くなるように配置されている。
【００４２】
そして、同心円状の樹脂パターン１０ａに交差するように、手首側部分６０の中央付近の領域を中心として放射状に複数本の樹脂パターン１０ｂを配置している。樹脂パターン１０ｂについても、手首側部分６０の中央付近の領域において間隔が狭く、親指部１５側や小指部５５側の各領域において間隔が広くなるように配置されている。
【００４３】
図１に示すように、手甲側指部にも手首側部分６０と同様の樹脂パターン１０が配置されている。そして当該手甲側指部における樹脂パターン１０についても、手首側部分６０と同様に領域に応じて密度が調整されている。
【００４４】
たとえば図１において、人差指中央部２４、中指中央部３４、薬指中央部４４および小指中央部５４については樹脂パターン１０が配置されていない。これは当該領域においては人差指部２５、中指部３５、薬指部４５および小指部５５の中でも特に装着時の手の動作による変形の量が多いため、樹脂パターン１０を設けないことにより、手甲部１００を構成する伸縮性部材２０の優れた伸縮性を利用して容易に変形することを可能とした構成としている。
【００４５】
手甲側指部の付根近傍の付根部２８についても、上述した人差指中央部２４などと同様の理由により手袋１において樹脂パターン１０が配置されていない。当該領域は、装着時に手の基節骨付近ないし基節骨と中手骨とに挟まれた関節に相当する領域であり、装着時の変形の量が非常に多い。このため樹脂パターン１０を設けないことにより、手甲部１００を構成する伸縮性部材２０の優れた伸縮性を利用して容易に変形することを可能とした構成としている。このように手甲側指部は、関節領域に隣接する隣接領域における樹脂パターンの密度を、装着時の変形の量が多い、装着者の指の関節付近を覆う関節領域の樹脂パターンの密度よりも高くすることが好ましい。
【００４６】
ただし、これらの樹脂パターン１０を配置しない領域が存在すると、装着時に樹脂パターン１０が存在する領域と存在しない領域との間で１つの手袋としての一体感が欠けた感触を装着者に与える可能性がある。そこで、当該樹脂パターン１０を配置しない領域についても、たとえば人差指中央部２４などの突起状ラインパターン２１、付根部２８の突起状ラインパターン２７を配置することが好ましい。
【００４７】
突起状ラインパターン２１、２７はたとえば図１に示すように２本が並列して１組をなしており、樹脂パターン１０（１０ａ、１０ｂ）と同一の樹脂材料により図１に示すように各領域において２組の突起状ラインパターン２１、２７が交差するように形成されることが好ましい。そしてその厚みを、樹脂パターン１０（１０ａ、１０ｂ）の厚みよりも大きくすることが好ましい。このようにすれば、当該突起状ラインパターン２１、２７を形成する樹脂が弾性部材であることにより、締め付け力による高いフィット感を装着者に与えることができ、かつ１つの手袋としての一体感を保つことも可能になる。ここで突起状ラインパターン２１、２７の厚みは樹脂パターン１０の厚みよりも大きいため、少ない本数でも十分なフィット感を装着者に与えることができる。
【００４８】
なお、各手甲側指部の幅方向（長手方向に交差する方向）の中央部分において、特に装着者の指とのフィット感を高めることが好ましい。このため、図１に示すように、当該中央部分において２本の突起状ラインパターン２１が交差する配置とすることが好ましい。このようにすれば、当該中央部分において２本分の樹脂の弾性力の効果により、より高いフィット感を装着者に与えることができ、かつ１つの手袋としての一体感を保つことも可能になる。
したがって図１においては突起状ラインパターン２１、２７は、手甲側指部の長手方向に対して斜めの方向に延伸する配置としているが、手甲側指部の長手方向に沿った方向、あるいはほぼ垂直に交差する方向に延伸する配置としてもよい。
【００４９】
また図１に示すように、手袋１の親指部１５においては、他の手甲側指部のように、装着時に関節に相当する部分についても他の部分と同様に樹脂パターン１０を形成している。しかし親指部１５についても、たとえば装着時に親指の関節に相当する領域は、親指部１５の長手方向の変形量が多くなることを考慮して長手方向の樹脂パターン１０ａ（１０ｂ）の間隔を他の部分よりも広く設けた配置としてもよい。
【００５０】
手甲側指部においても、特に幅方向の中央部においては、装着時の変形の量が少ない。このため、特に幅方向の中央部には樹脂パターン１０を配置しており、弾性部材の弾性力により、上述した手首側部分６０の樹脂パターン１０と同様に、装着者の指に対して締め付け力を与える。その結果、装着者の指と手袋１との一体感を高め、フィット感を向上させる。
【００５１】
ただし、手甲側指部の幅方向の中央部における樹脂パターン１０の密度が、幅方向の側端部における樹脂パターン１０の密度よりも高いことが好ましい。ここで幅方向の中央部とは、装着者の指の長手方向に交差する断面における上側の部分を指し、幅方向の側端部とは、装着者の指の長手方向に交差する断面における左右側の部分であり、手甲部１００の端部となる領域を指す。
【００５２】
上述したように、手甲側指部の幅方向の中央部においてフィット感を向上させるために樹脂パターン１０の密度を高くすれば、幅方向の側端部においては当該密度を低くしても、装着者の指全体が手袋１に対して感じるフィット感を維持することができる。このため、側端部の樹脂パターン１０の密度を低くすれば、伸縮性部材２０の伸縮性により、装着者は指を自由に柔軟に動かすことができる。以上より、手甲側指部についても装着者の指に高いフィット感と高い柔軟性の両方を与えることができるため、装着者に対して快適な装着感を与えることができる。なお、側端部においては樹脂パターン１０を配置しなくてもよい。
【００５３】
また、上述のように当該側端部において伸縮性を向上させることにより、装着者ごとに指の大きさや形状が異なることによる手甲側指部の伸縮を容易に行なうことができる。したがって、装着者の指の大きさや形状にかかわらず、多くの装着者に対して快適な装着感を与えることができる。
【００５４】
手袋１において、手甲側指部の長手方向に交差する方向（すなわち幅方向に沿った方向）に延びる樹脂パターン１０ａ（１０ｂ）の密度は、手甲側指部の長手方向に延びる樹脂パターン１０ａ（１０ｂ）の密度よりも高いことが好ましい。装着者の指の長手方向の動きの量の方が、幅方向の動きの量よりも多い。このため、装着時の変形の量が少ない、手甲側指部の幅方向に延びる樹脂パターン１０ａ（１０ｂ）の密度を高くする。このようにすれば、樹脂パターン１０ａ（１０ｂ）を形成する弾性部材の弾性力により上述同様に装着者の指に対するフィット感を向上することができる。また、手甲側指部の長手方向に延びる樹脂パターン１０ａ（１０ｂ）の密度を低くすれば、伸縮性部材２０の伸縮性により、装着時に手甲側指部を長手方向に容易に変形することができる。すなわち、装着時にたとえば対象物を把持する際に容易に指を伸曲（手を開閉）することができる。
【００５５】
なお、各手甲側指部の長手方向に関しては、付根部２８から指先方向へ向かうにつれて、手甲側指部の長手方向に交差する方向に延びる樹脂パターン１０ａの密度を低くすることがより好ましい。たとえば図１の人差指部２５に示すように、人差指付根部２６の方が人差指先端部２２よりも、幅方向に延びる樹脂パターン１０ａの密度が高くなっている。
このようにすれば、装着時に装着者の指先部分において当該手甲側指部の変形を容易に行なうことができるようになる。その結果、装着時において、装着者の指の伸曲に柔軟に対応することができる。
【００５６】
また図１に示すように、特に各手甲側指部の長手方向に延在する樹脂パターン１０ａを、特にたとえば人差指中央部２４などの関節領域へ向かうにつれて、その密度が低くなるように配置することがより好ましい。すなわち、人差指中央部２４付近における当該密度を指先部分における当該密度よりも低くするため、樹脂パターン１０ａの間隔が広くなるように、手甲側指部の長手方向に対してやや湾曲した配置とすることが好ましい。このようにすれば、関節領域における変形の量に対して柔軟に対応することができる。
【００５７】
図４は、親指部１５を手掌部２００側から見た拡大図であるが、手甲部１００における親指部１５の端部と、手掌部２００における親指部１５の端部とが、接続線１５０において直接接続した構成となっていることが好ましい。なお、図４には一例として親指部１５について示しているが、人差指部２５、中指部３５、薬指部４５および小指部５５についても同様に、手甲部１００における各指部の端部と、手掌部２００における各指部の端部とを直接接続した構成となっていることが好ましい。
【００５８】
このように、手甲部１００と手掌部２００との境界部分に幅のある領域を設けず、手甲部１００と手掌部２００とを直接たとえば縫着により接続している。このようにすれば、装着時に装着者の指に各指部の部材が締め付けるフィット感をより向上させることができる。
【００５９】
なお、樹脂パターン１０ａ（１０ｂ）は、接続線１５０が端部となるように手甲部１００において一体として連続（延伸）した配置とすることが好ましい。このようにすれば、装着者の指に対する当該フィット感をより向上させることができる。
【００６０】
以上に述べた、装着者のフィット感を向上させるための弾性部材として、上記樹脂パターン１０（１０ａ、１０ｂ）と突起状ラインパターン２１、２７とを適宜組み合わせて配置してもよい。また、突起状ラインパターン２１、２７の厚みや幅についても、使用目的に応じて任意に設計することができる。
【００６１】
なお、図３に示す手袋１の手掌部２００は、対象物を把持する際に直接対象物と接触する領域である。このため、上述した手甲部１００のような樹脂パターン１０は形成されていない。
【００６２】
（実施の形態２）
本発明の実施の形態２に係る手袋２は、本発明の実施の形態１に係る手袋１と、基本的に同様の態様を備えている。しかし手袋２は、親指部１５と手首側部分６０との接続部３０において樹脂パターン１０が形成されていない点が、手袋１と異なる。
【００６３】
手袋１は手甲部１００の全体が一体として形成されている。しかし、後述するように、手袋２は、親指部１５と親指部１５以外の部分とを別々に形成し、両者を接続部３０においてたとえば縫着により接続することにより構成されている。接続に用いられる接続部３０においては両者を良好に接続するため、たとえば手掌部２００に用いられる革製や樹脂製の部材を用いて接続することもあるため、樹脂パターン１０が形成されていない。
【００６４】
このような構成を備える手袋２においても、接続部３０の態様が手袋１と異なることによる影響は小さく、手袋１と同様の作用効果を奏することができる。
【００６５】
本発明の実施の形態２は、以上に述べた各点についてのみ、本発明の実施の形態１と異なる。すなわち、本発明の実施の形態２について、上述しなかった構成や条件、効果などは、全て本発明の実施の形態１に順ずる。
【００６６】
（実施の形態３）
本発明の実施の形態３に係る手袋３は、本発明の実施の形態２に係る手袋２と、基本的に同様の態様を備えている。しかし手袋３は、親指部１５および人差指先端部２２、中指先端部３２、薬指先端部４２および小指先端部５２に樹脂パターン１０が形成されていない点が、手袋２と異なる。
【００６７】
一般に手は、手の甲よりも指の方が動きが大きい。このため手袋１においては、手甲側指部の方が手首側部分６０よりも変形の量が多くなる。したがって、手袋３のように、手首側部分６０上の樹脂パターン１０の密度を、手甲側指部上の樹脂パターン１０の密度よりも高くすることが好ましい。
【００６８】
このようにすれば、手首側部分６０の樹脂パターン１０により、装着者に対する手袋３との一体感や高いフィット感を確保しつつ、変形の量の多い手甲側指部において、伸縮性部材２０の優れた伸縮性により、より高い柔軟性を与えることができる。したがって、当該手甲側指部の変形、たとえば装着者の手の開閉や対象物の把持などの動作を、より柔軟に容易に行なうことができる。
【００６９】
また、手甲側指部の一部の領域に対して樹脂パターン１０が形成されていない領域を設けることにより、装着者の指の大きさや形状に応じて、装着時における手甲側指部を形成する伸縮性部材２０の伸縮性を高めることができる。したがって、指の大きさなどにかかわらず、より多くの装着者に対して装着時における高いフィット感を与えることができる。
【００７０】
図７における手袋４は、手袋３と基本的に同様の態様であるが、手袋４は、人差指付根部２６、中指付根部３６、薬指付根部４６および小指付根部５６に樹脂パターン１０が形成されていない点が、手袋３と異なる。
【００７１】
このようにすれば、手袋３と同様に、装着者の指の大きさや形状に応じて、装着時における手甲側指部を形成する伸縮性部材２０の伸縮性を高めることができる。したがって、手甲側指部における柔軟性をさらに高めて変形を容易にするとともに、より多くの装着者に対して装着時における高いフィット感を与えることができる。
【００７２】
なお、手袋３、４の親指部１５におけるデザイン６１は、当該親指部１５の湾曲を容易にするために配置されたものであり、配置の有無は任意である。
【００７３】
本発明の実施の形態３は、以上に述べた各点についてのみ、本発明の実施の形態２と異なる。すなわち、本発明の実施の形態３について、上述しなかった構成や条件、効果などは、全て本発明の実施の形態２に順ずる。
【００７４】
また、以上に述べた各実施の形態のいずれの手袋においても、手甲側指部（および手掌側指部）の先端部分（指先部分）を構成する部材として、他の領域を構成する伸縮性部材２０よりも硬度の高い保護部材を用いてもよい。このようにすれば、装着者の爪を保護することができるとともに、当該保護部材が配置された領域が装着者の爪により破損することを抑制することができる。
【００７５】
次に、図８を用いて、上述の樹脂パターン１０を構成する線状パターンの構造例について説明する。
【００７６】
図８に示す例では、樹脂パターン１０ａの断面形状は略矩形である。より詳しくは、樹脂パターン１０ａは、手甲部１００を構成する伸縮性の伸縮性部材２０の表面から略垂直に立ち上がる側面８を有し、上端角部９が尖ったような形状を有する。図８に点線で示すように、樹脂パターン１０ａの上端角部９を丸めてもよい。
【００７７】
樹脂パターン１０ａを伸縮させるのに必要な力が樹脂パターン１０ａによる締付け力に対応する力となるが、当該力は樹脂パターン１０ａの体積に比例する。ここで、上記のように樹脂パターン１０ａが伸縮性部材２０の表面から略垂直に立ち上がる側面８を有することで、伸縮性部材２０上における樹脂パターン１０ａの形成領域を小さく抑えながら、樹脂パターン１０ａの充分な体積を確保することができる。つまり、樹脂パターン１０ａの形成領域を小さく抑えながら、樹脂パターン１０ａによる所望の締付け力を得ることができる。
【００７８】
樹脂パターン１０ａの高さ（厚み）や幅は任意に調節可能であるが、これらを適切に調節することによっても樹脂パターン１０ａの体積を調節することができ、樹脂パターン１０ａによる締付け力を調節することができる。
【００７９】
たとえば装着者の手の大きさや好み等の違い等より、樹脂パターン１０による各部の締付け力を異ならせることを要求される場合もあると考えられるが、上記のように樹脂パターン１０ａの高さ（厚み）、幅、密度等を適切に調節することにより樹脂パターン１０の各部の締付け力を容易に変化させることができるので、上記のような要求にも応えることができる。
【００８０】
次に、本発明の実施の形態に係る手袋１の製造方法について図９を用いて説明する。
図９に示すように、まず、部材を準備する（Ｓ１０）。この部材は、特に手甲部１００については、装着時に手や指の動作を自由に行なえるようにするために、主として伸縮性に優れた部材で構成された伸縮性部材２０であることが好ましい。また、手掌部２００についても手甲部１００と同様の伸縮性部材２０を用いてもよいが、装着時に対象物の把持力を向上するため、滑りを防止した革製や樹脂製の部材を用いてもよい。
【００８１】
ここで、たとえば図１の手袋１のように手甲部１００の全体が一体となった伸縮性部材２０を準備してもよいが、たとえば図５の手袋２を作製するための手甲部１００の親指部１５のみ、他の部分と別に準備してもよい。図１０はその一例であり、図１０に示す手甲部１００を形成するための伸縮性部材２０は、親指部部材３００と、親指部１５以外の領域の伸縮性部材２０としての本体部部材４００とを備えている。
【００８２】
次に、樹脂パターン１０を形成するための樹脂を準備する（Ｓ２０）。たとえば、所定の弾性を有し、成型性も良好であると考えられるウレタン樹脂を準備する。
【００８３】
続いて、上記樹脂を金型に導入する（Ｓ３０）。この金型は、樹脂パターン１０の形状に対応した凹部（キャビティ）を有し、この凹部に樹脂を導入する。樹脂を金型に導入するに際しては、たとえば樹脂を流動可能な状態（たとえば液状）として金型に導入すればよい。その後、金型内で樹脂を加熱する（Ｓ４０）。たとえば上記樹脂の硬化温度以上の温度で加熱する。それにより、樹脂の一部（金型と接する部分およびその近傍）を硬化あるいは樹脂全体を半硬化状態とする。
【００８４】
次に、上記のような状態の樹脂を、上述した伸縮性部材２０（たとえば親指部部材３００および本体部部材４００）に密着させる（Ｓ５０）。具体的には、金型内で加熱状態にある樹脂材料上に上記伸縮性部材２０を被せ、該伸縮性部材２０に圧力を加えて樹脂に伸縮性部材２０を接触させる。この状態で樹脂を硬化させることにより、伸縮性部材２０の表面上に所望の樹脂パターン１０を形成することができる。なお、金型を用いて樹脂パターン１０を形成した後に、接着剤等を用いて該樹脂パターンを伸縮性部材２０上に密着形成することも可能である。
【００８５】
このとき、たとえば上述した図１０のように親指部部材３００と本体部部材４００とを別々に準備しておけば、これらを金型にセットする際に親指部部材３００を本体部部材４００と重ならないよう任意の場所に設置することが可能となる。このため、たとえば手甲部１００全体を一体の伸縮性部材２０として準備した場合に比べ、親指部部材３００と本体部部材４００との配置を調整することにより、伸縮性部材２０が金型において占有するスペースを小さくすることができる。この結果、１回の工程で処理できる手甲部１００の伸縮性部材２０の枚数を増やし、生産効率を向上させることができる。
【００８６】
そして、親指部部材３００と本体部部材４００とを別々に準備した場合は、樹脂パターン１０を形成した両者の部材を縫合する（Ｓ６０）。（Ｓ６０）においては最後にこのようにして形成した手甲部１００を、接続線１５０（図４参照）において手掌部２００と縫合する。このようにすれば、たとえば先述した手袋２、３、４を作製することができる。なお、手甲部１００全体を一体の部材として準備した場合は、たとえば先述した手袋１を作製することができる。
【００８７】
図１１に示す本発明の実施品である手袋５は、以上に述べた本発明に係る手袋の特徴を備えている。手袋５の手甲側指部に関しては、人差指付根部２６、中指付根部３６、薬指付根部４６、小指付根部５６にのみ樹脂パターン１０が配置されている。また、親指部１５については、たとえば手袋３におけるデザイン６１が配置された領域にのみ樹脂パターン１０が配置されている。このようにして親指部１５の湾曲（変形）を容易にしている。
また、たとえば手袋２と同様に、手甲部１００のうち親指部１５のみが別体として形成され、親指部１５と親指部１５以外とが接続部３０において一体の手甲部１００となるよう接続されている。
【００８８】
以上のように本発明の実施の形態について説明を行なったが、今回開示した実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００８９】
本発明は、手袋の装着時のフィット感を高めることができる技術として、特に優れている。
【符号の説明】
【００９０】
１，２，３，４，５  手袋、８  側面、９  上端角部、１０，１０ａ，１０ｂ  樹脂パターン、１１，１６  領域、１５  親指部、２０  伸縮性部材、２１，２７  突起状ラインパターン  ２２  人差指先端部、２４  人差指中央部、２５  人差指部、２６  人差指付根部、２８  付根部、３０  接続部、３２  中指先端部、３４  中指中央部、３５  中指部、３６  中指付根部、４２  薬指先端部、４４  薬指中央部、４５  薬指部、４６  薬指付根部、５２  小指先端部、５４  小指中央部、５５  小指部、５６  小指付根部、６０  手首側部分、６１  デザイン、１００  手甲部、１５０  接続線、２００  手掌部、３００  親指部部材、４００  本体部部材。
【図１】
2010168699.tif 000003
【図２】
2010168699.tif 000004
【図３】
2010168699.tif 000005
【図４】
2010168699.tif 000006
【図５】
2010168699.tif 000007
【図６】
2010168699.tif 000008
【図７】
2010168699.tif 000009
【図８】
2010168699.tif 000010
【図９】
2010168699.tif 000011
【図１０】
2010168699.tif 000012
【図１１】
2010168699.tif 000013